(57)【要約】      （修正有）【課題】構造がシンプルで便利に使用でき、低コストで安全かつ衛生的な便器の便座に敷く電熱保温シートの構造を提供する。【解決手段】電熱装置２、上層１及び結合部品３で構成され、電熱装置は、電源装置５と接続され、ユーザーの肌と直接接触する上層は電熱装置に結合すると共に織布或いは不織布などで構成され、結合部品は、繰り返し粘着できる接着層、永久に結合する感圧接着剤、両面粘着テープなどからなり、上層と電熱装置は、結合部品により便器の便座と着脱可能に結合され、汚れに対して適宜に着脱することができる。【選択図】図１
0003222161.tif 000002
【実用新案登録請求の範囲】
【請求項１】
電熱装置、上層及び結合部品を含み、
該電熱装置は、電源装置と接続して電力の供給を受け、
該上層は上述の電熱装置に結合すると共にユーザーの肌との接触面を構成し、及び、
該結合部品により該電熱装置と該上層を便器の便座と着脱可能に結合してなることを特徴とする便器の便座に敷く電熱保温シートの構造。
【請求項２】
前記該結合部品は、前記電熱装置の下方に結合することを特徴とする請求項１記載の便器の便座に敷く電熱保温シートの構造。
【請求項３】
前記該結合部品は、前記上層の下方に結合し、上記電熱装置を覆うことを特徴とする請求項１記載の便器の便座に敷く電熱保温シートの構造。
【請求項４】
前記結合部品は、便器の便座の表面に繰り返し粘着できる接着層であることを特徴とする請求項１、請求項２或いは請求項３記載の便器の便座に敷く電熱保温シートの構造。
【請求項５】
前記接着層は、前記上層の下方に永久に結合する感圧接着剤であることを特徴とする請求項４記載の便器の便座に敷く電熱保温シートの構造。
【請求項６】
前記接着剤は、両面粘着テープであることを特徴とする請求項４記載の便器の便座に敷く電熱保温シートの構造。
【請求項７】
前記電熱装置の下方に下層を結合し、それは該電熱装置と結合部品の間に位置することを特徴とする請求項１記載の便器の便座に敷く電熱保温シートの構造。
【請求項８】
前記上層と電熱装置の間、及び該電熱装置と下層の間にウレタン層を設けることを特徴とする請求項７記載の便器の便座に敷く電熱保温シートの構造。
【請求項９】
前記上層と下層の材質は、織物或いは不織布としたことを特徴とする請求項７或いは請求項８記載の便器の便座に敷く電熱保温シートの構造。
【請求項１０】
前記上層の材質は、織物或いは不織布とし、該電熱装置は、軟質の電熱プレート或いは電熱線としたことを特徴とする請求項１記載の便器の便座に敷く電熱保温シートの構造。
【請求項１１】
前記結合部品は、バックル部品或いは紐としたことによって、前記電熱装置と前記上層を前記便器の便座と着脱可能に結合したことを特徴とする請求項１記載の便器の便座に敷く電熱保温シートの構造。
【請求項１２】
前記上層は、多層構造であり、上下重ねる形で結合したことを特徴とする請求項１記載の便器の便座に敷く電熱保温シートの構造。
【請求項１３】
前記電熱装置の下方に排気経路を設け、該排気経路に排気口及び該排気口に接続する複数個の吸気口を具有し、該排気口は排気設備を接続して該排気設備はろ過アロマ装置を接続することによって、便器を使用する際に発生する臭気は、該複数個の吸気口より該排気口を通って排出され、且つ該ろ過アロマ装置を経過した後、クリーンな空気として排出することを特徴とする請求項１記載の便器の便座に敷く電熱保温シートの構造。
【請求項１４】
前記電熱装置は、更に温度制御器を含み、該電熱装置を快適な温度に制御することを特徴とする請求項１記載の便器の便座に敷く電熱保温シートの構造。
【考案の詳細な説明】
【技術分野】
【０００１】
本考案は構造がシンプル、便利に使用及び携帯できる、便器の便座に敷く電熱保温シートの構造に関する。
【背景技術】
【０００２】
目下市場に出回っている洋式便器の構造は、便器の上に蓋付きの便座を設けている。しかし、寒い時期に肌がヒンヤリとする便座と接触するのは冷たくて耐え難いもので、特に老人或いは子供にとってトイレを使用するのは大変不快なものであり、次第にトイレに行く回数を減らすような状況が長期になると、宿便の問題を引き起こす恐れがあり、身心ともに大きな影響を及ぼす。よって多くの業者が加熱、保温効果を具有する便器の便座を案出しているが、構造デザイン上、その殆どが便器とのセット販売をしており、材質もほぼ硬質のプラスティックである。また、元の便器の便座の代わりになるこのような硬質プラスティック加熱シートを単独販売する業者もいる。このように、元々あるフルセットの便器、或いは元の便器の便座を破棄して交換する必要があり、コストが高い上に浪費となる。
【０００３】
この他、フルセットの便器デザインに合わせた加熱式便器シートは、通常シートの加熱する面積が広く、加熱装置が必要とする熱エネルギーの量が多く、交流電源のみしか使用することができず、浴室の便器のそばにコンセントがない家庭では使用することができない。
【０００４】
時代が進歩し、携帯電話の充電器或いは乾電池などの充電設備は、一般の家庭にまで普及している。よって構造がシンプルで、便利に使用でき、且つ安全で衛生的で、直流電源を使用できる類の充電設備(例えば携帯電話の充電器或いは乾電池など)のシンプル且つ軽便型の便器加熱シートをデザインし、加熱保温を行う機能を案出する必要があった。
【先行技術文献】
【特許文献】
【０００５】
【特許文献１】特開平５−１７６８６０号公報
【特許文献２】特開２００３−１８０５６２号公報
【考案の概要】
【考案が解決しようとする課題】
【０００６】
前記公知構造の欠点を解決するため、本考案は構造がシンプル、便利に使用でき、コストが低く、安全且つ衛生的である、便器の便座に敷く電熱保温シートの構造を提供することを主な課題とする。
【課題を解決するための手段】
【０００７】
上述の目的を解決するために、本考案は便器の便座に敷く電熱保温シートの構造を提供するものである。本考案に含まれるのは電熱装置、上層及び結合部品である。該電熱装置は電源装置と接続し、必要とする電力を得る。該上層は上述電熱装置に結合してユーザーの肌と接触する。該結合部品により該電熱装置と該上層が任意に便座と結合及び取り外すことができる。
【０００８】
実施する際、該結合部品は上記電熱装置の下方に結合する。
【０００９】
実施する際、該結合部品は上述上層の下方に結合し、該電熱装置を覆う。
【００１０】
実施する際、該結合部品は、便器の便座の表面に繰り返し粘着できる一種の接着層である。
【００１１】
実施する際、該接着層は該上層の下方に永久に結合する感圧接着剤である。
【００１２】
実施する際、該接着剤は両面粘着テープである。
【００１３】
実施する際、該電熱装置の下方に下層を結合し、それは該電熱装置と結合部品の間に位置する。
【００１４】
実施する際、該上層と電熱装置の間、及び該電熱装置と下層の間にウレタン層を設ける。
【００１５】
実施する際、該上層と下層の材質は織物或いは不織布とする。
【００１６】
実施する際、該上層の材質は織物或いは不織布とすることができ、該電熱装置は軟質の電熱プレート或いは電線とすることができる。
【００１７】
実施する際、該上層を多層の織物或いは不織布に設け、上下重ねる形で感圧接着剤或いは両面粘着テープで結合する。
【００１８】
実施する際、該結合部品は少なくとも一つのバックル部品或いは少なくとも一つの紐とすることで、該電熱装置と該上層が任意に該便器の便座と結合及び取り外すことができる。
【００１９】
実施する際、該電熱装置の下方に排気経路を設け、該排気経路に排気口及び該排気口に接続する複数個の吸気口を具有する。該排気口は排気設備を接続し、該排気設備は別途ろ過アロマ装置を接続することで、便器を使用する際に発生する臭気は、該複数個の吸気口より該排気口を通って排出され、且つ該ろ過アロマ装置を経過した後、クリーンな空気として排出する。
【００２０】
実施する際、該電熱装置は更に温度制御器を含み、該電熱装置を快適な温度に制御する。
【考案の効果】
【００２１】
本考案の構造により、寒い時期に肌は直接冷たい便器の便座に触れることなく、該電熱装置によって放出する熱エネルギーを通じて、トイレで用を足す過程が非常に快適且つ暖かいものとなる。また、シートの上層表面に汚れがある場合、取り外して洗えるほか、別途排気経路及びろ過アロマ装置を設けることができるため、便器を使用する際に生じる臭気を心地よい香りに変えることができ、トイレの衛生と快適さを保つ効果がある。
【図面の簡単な説明】
【００２２】
【図１】本考案を便器にセットした状態略図である。
【図２】本考案の保温シートの外観略図である。
【図３】本考案の保温シートの構造略図である。
【図４】本考案の保温シートの別の構造略図である。
【図５】本考案の結合部品がバックル部品を使用する時の構造略図である。
【図６】本考案の保温シートに下層を含む時の構造略図である。
【図７】本考案の保温シートに下層とウレタン層を含む時の構造略図である。
【図８】本考案の上層は多層構造であり、上下重ねる形で結合する略図である。
【図９】本考案の保温シートに排気経路を増設した時の状態略図である。
【考案を実施するための形態】
【００２３】
以下、本考案の構造と特徴および効果を、最良実施例と図面、符号を参照しながら詳細に説明する。
【実施例】
【００２４】
図１及び図２に示すのは、本考案の便器の便座に敷く電熱保温シートの具体的な一実施例であって、上層１、電熱装置２及び結合部品３から構成し、構成した後の製品面積は便器の便座の形状サイズが一定ではないため、基本的に２００平方センチメートルから８００平方センチメートルの間である。
【００２５】
該電熱装置２は、軟質の電熱プレート或いは電線とすることができ、電源装置５と接続(直流電源、電圧の範囲は５Ｖ〜３６Ｖ、５Ｖ、１２Ｖがベスト、トータルのワット数は５Ｗ〜１５Ｗ、１０Ｗがベスト、定格電流は１Ａ〜２Ａ)し、必要とする電源を得る。該電源装置５はバッテリー、モバイル電源或いはＡＣコンセント用ＤＣ電源アダプターを外付けする。
【００２６】
該電源装置５に含まれるのは、該電熱装置２を起動して熱を供給するスイッチ６、或いは該電熱装置２を快適な温度に制御するために、更に温度制御器６１を含む。これらにより、該電熱保温シートの上層１の温度範囲を摂氏２５度〜４０度に制御し、３５度がベストであり、老人或いは皮膚が敏感な方が低温火傷をするのを防止する。
【００２７】
該上層１は上述の電熱装置２に結合し、ユーザーの肌と接触する。該結合部品３により該電熱装置２と該上層１が可動的に該便器４の便座４１とを結合し、及び取り外すことができる。
【００２８】
実施する際、該結合部品３とは、便器４の便座４１の表面に繰り返し粘着できる一種の接着層３１(図３、図４を参照)、永久に結合する感圧接着剤、あるいは交換・補充できる両面粘着テープ(図に未掲載)とすることができる。或いは、図５に示すように、該結合部品３はまた少なくとも一つのバックル部品３２として、着脱可能に該便器４の便座４１の上に掛合する。その他、もちろん該結合部品３もまた少なくとも一本の紐として、該便器４の便座４１にくくりつけることができるようにしてもよい(図には不掲載)。
【００２９】
図３に示すように、該結合部品３を上述の電熱装置２の下方に結合することができ、或いは図４に示すように、上述上層１の下方に結合して該電熱装置２を覆う。または、図６に示すように、該電熱装置２の下方に下層１１を結合し、それは該電熱装置２と結合部品３の間に位置する。
図７に示すように、該上層１と電熱装置２の間、及び該電熱装置２と下層１１の間には、更にウレタン層１２を設けることができる。該上層１と下層１１の材質は織物或いは不織布とすることができる。
【００３０】
実施する際、ユーザーは該上層１を便器４の便座４１に対応して敷いた後、電源装置５を接続し、スイッチ６或いは温度制御器６１を起動すれば、該電熱装置２が放出する熱エネルギーによってユーザーは快適且つ暖かく該上層１に座って用を足すことができる。且つ織物或いは不織布或いはウレタンなどの材質とすることでその快適さを増す。
【００３１】
実施する際、長期的に該シートを使用すると、シートの表面に汚れが付くことがある。該シートを便器から取り外して洗うことができるほか、特別に該シートの上層１を多層構造として設置し、上下重ねる形で感圧接着剤或いは両面テープを用いて各層を結合する。該多層構造の各層を織物或いは不織布により構成し、該シートの上層１表面が汚れた場合、該多層構造の最上層を剥がすだけで、新しい表層を得ることができる(図８を参照)。
【００３２】
その他、図９に示すように、該電熱装置２の下方に一つの排気経路７を設け、該排気経路に一つの排気口７１及び該排気口に接続する複数個の吸気口７２を具有する。該排気口７１は排気設備８を接続し、該排気設備８は別途ろ過アロマ装置９に接続する。該ろ過アロマ装置９は活性炭及び芳香剤を含み、よって、便器を使用する際に発生する臭気は、該複数個の吸気口７２より該排気口７１を通って排出され、且つ該ろ過アロマ装置９を経過した後、クリーンな空気として排出する。
【００３３】
本考案は下記のメリットを具有する：
【００３４】
１、本考案の構成により、ユーザーは寒い天候のときに、肌は直接冷たい便器の便座に触れることなく、該電熱装置によって放出する熱エネルギーを受けて、トイレで用を足す過程が非常に快適且つ暖かいものとなる。
【００３５】
２、本考案は軟質電熱板を設置するデザインにより、従来の電熱式便器と比較すると、構造がシンプル、コストが低い効果を具有し、且つ如何なる便器にも適用可能であって、便器を破壊或いは改装する必要がなく、手軽に使用することができ、大変便利である。
【００３６】
３、本考案は取り外しが便利であり、シートの上層表面に汚れがある場合、取り外して洗えるほか、シートの上層にある多層構造の最上層を直接剥がせば、新しい清潔なシートになる。
【００３７】
４、本考案は別途排気経路を設けることができ、排気設備とろ過アロマ装置を介し、便器を使用する際に生じる臭気を心地よい香りに変えることができるため、トイレの衛生と快適さを保つ。
【００３８】
以上の実施例は本考案の具体的な実施例及び運用する技術手段である。本考案の公開或いは内容による多くの変更および調整が本考案の構想と同じ効果と見なすことができ、それにより生じた作用が尚も説明書及び図式に含まれる本考案の重要な意義は失われず、本考案の範囲に含まれる。
【符号の説明】
【００３９】
1  上層
１１  下層
１２  ウレタン層
２  電熱装置
３  結合部品
３１  接着層
３２  バックル部品
４  便座
４１  シート
５  電源装置
６  スイッチ
６１  温度制御器
７  排気経路
７１  排気口
７２  吸気口
８  排気設備 
９  ろ過アロマ装置 
【図１】
0003222161.tif 000003
【図２】
0003222161.tif 000004
【図３】
0003222161.tif 000005
【図４】
0003222161.tif 000006
【図５】
0003222161.tif 000007
【図６】
0003222161.tif 000008
【図７】
0003222161.tif 000009
【図８】
0003222161.tif 000010
【図９】
0003222161.tif 000011